(57)【要約】【課題】  バレルによる細線の圧着機能の確保とタブの強度向上を両立させ、タブの先端をハウジングに係止してタブが支持壁から浮くことを阻止し、プラグコネクタとリセプタクルコネクタの嵌合不良又は嵌合不能を防止する。【解決手段】  所定形状の素板Ｂを折り曲げて形成し、ハウジング２００の収容室２１１に挿入してハウジング２００に係止されるプラグコネクタの電気接触子１００である。タブ１２０は素板の一部を折り返して厚さ方向に重ね合わされた基礎板１２１及び接触板１２２よりなり、基礎板の奥行き方向の奥側の端部は接触板の奥行き方向の奥側の端部よりも奥へ突き出て突出部１２１ａとなり、本体１１０をハウジングの収容室に収めると、収容室から外へ突き出たタブの基礎板がハウジングにより支持され、突出部が、タブがハウジングから厚さ方向に浮かないようにハウジングに係止されるように構成している。【選択図】  図１
2004335458.tif 000002
【特許請求の範囲】
【請求項１】
所定形状の素板を折り曲げて形成され、収容室を有するハウジングの上記収容室に挿入してハウジングに係止されるプラグコネクタの電気接触子であって、互いに直交する奥行き方向、幅方向、及び厚さ方向をとったときに、
電線を圧着するバレルが設けられた本体と、この本体から奥行き方向の奥へ延びるタブとを備え、
タブは、素板の一部を折り返して厚さ方向に重ね合わされた二枚の板によって構成され、一方の板が基礎板になり、他方の板が相手側の電気接触子に接触する接触板になっており、
基礎板の奥行き方向の奥側の端部は接触板の奥行き方向の奥側の端部よりも奥へ突き出ていて、これによって突出部が形成されており、
本体をハウジングの収容室に収めると、収容室から外へ突き出たタブの基礎板がハウジングにより支持され、突出部が、タブがハウジングから厚さ方向に浮かないようにハウジングに係止されるように構成したプラグコネクタの電気接触子。
【請求項２】
基礎板と接触板とが、幅方向の一方の端縁において奥行き方向に延びる境界線で折り返されている請求項１のプラグコネクタの電気接触子。
【請求項３】
基礎板と接触板とが、奥行き方向の奥側において幅方向に延びる境界線で折り返されている請求項１のプラグコネクタの電気接触子。
【請求項４】
本体におけるタブに隣接する部分が、タブよりも幅方向の寸法及び厚さ方向の寸法のうち少なくとも一方の寸法が大きく設けられ、ハウジングの収容室に嵌合する嵌合部になっている請求項１ないし請求項３のうちいずれか１項のプラグコネクタの電気接触子。
【請求項５】
請求項１ないし請求項４のうちいずれか１項のプラグコネクタの電気接触子を挿入して係止するプラグコネクタのハウジングであって、互いに直交する奥行き方向、幅方向、及び厚さ方向をとったときに、
電線を接続した電気接触子が挿入される収容室を有する収容体と、
この収容体における収容室の厚さ方向の一方側の部分から奥行き方向の奥へ延び、厚さ方向両側の表面のうち一方の表面で電気接触子の基礎板を受ける支持壁と、
支持壁の奥行き方向の奥側において支持壁の上記一方の表面の側に出るように立ち上がる先端壁と、
先端壁から奥行き方向の手前に延び、電気接触子の素板の厚さと同一かそれ以上の距離で支持壁の上記一方の表面から厚さ方向に離間して設けられ、電気接触子の突出部に当たってタブの支持壁からの浮き上がりを規制する係止壁とを備えたプラグコネクタのハウジング。
【請求項６】
支持壁における電気接触子の基礎板を受ける部位の幅方向両側に、厚さ方向に立ち上がる横壁が設けられている請求項５のプラグコネクタのハウジング。
【請求項７】
係止壁の厚さが電気接触子の素板の厚さとほぼ同一に設けられている請求項５又は請求項６のプラグコネクタのハウジング。
【請求項８】
請求項４のプラグコネクタの電気接触子を挿入して係止する請求項５ないし請求項７のうちいずれか１項のプラグコネクタのハウジングであって、収容体の収容室における奥側の端部に、電気接触子の嵌合部に嵌合する受け入れ部が設けられているプラグコネクタのハウジング。
【発明の詳細な説明】
【技術分野】
【０００１】
本発明は、圧着形の電気接触子を装着したプラグコネクタの技術分野に属し、電気接触子のタブの構造と、これに対応したハウジングの構造に関する。
【背景技術】
【０００２】
特許文献１は、電線端末に接続される電線接続部と、基板部の一側自由縁部を基板部に向けて折り返し重合して形成されると共に、相手端子と電気的に接続される電気接触部と、電線接続部と電気接触部との間に設けられてコネクタへの収容時に端子収容室内に係合する係止部と、係止部と電気接触部とを繋ぐ連結部とを備えた雄端子を開示している。この雄端子の場合、上記基板部から係止部側に延設されると共に基板部より幅広の下片部と、上記一側自由縁部から係止部側に延設されて上記一側自由縁部の基板部側への折り返し重合わせ時に上記下片部に向けて折り返されると共に、一側自由縁部より幅広の上片部とで上記連結部を形成している。
【０００３】
特許文献２は、樹脂製のハウジングの端子収容室内に挿入され、フード部内へ突出する細長形状のタブ状接触部と、電線端部を固定する固定部と、略中央部の下面に上記ハウジング内に設けた可撓係止片に係合する係止穴を備えた係止部とからなる接続端子と、相手コネクタを嵌合する上記フード部内の奥部を形成する内壁上に開口し、上記タブ状接触部が挿通する接触部嵌合穴を備えた上記ハウジングとからなるコネクタを開示している。このコネクタの場合、上記接続端子の上記タブ状接触部と上記係止部との接続部近傍に上記係止部の側面に前方の上記タブ状接触部側に張出した振れ防止片が形成されるとともに、上記ハウジング内の上記接触部嵌合穴内の側面に上記接続端子の上記振れ防止片が当接する支持部が形成されている。
【０００４】
特許文献１の雄端子も特許文献２の接続端子も、プラグコネクタのハウジングの端子収容室に挿入され、端子収容室から外に突き出た電気接触部又はタブ状接触部を、リセプタクルコネクタにおける筒形の雌端子に挿入することで雄端子と雌端子との機械的接続及び電気的接続を果たし、雌端子の内部にある板バネの弾性復元力により雄端子と雌端子との間の接触圧力を確保するようにしている。
【特許文献１】特許第３０４６７３１号公報
【特許文献２】特開平１０−２９４１４５号公報
【発明の開示】
【発明が解決しようとする課題】
【０００５】
電気接触子を圧着形にした場合、接続対象となる電線が細くなればなるほど、バレルの板厚を薄く設定する必要がある。これはバレルで電線を圧着したときにバレルを電線の芯線の束に対して忠実に変形させ、電線の芯線の束にしっかりと食い込ませてバレルと電線の芯線の束との連結強度を確保すると共に、電気的な接触抵抗を低減するためである。しかし、電気接触子を所定形状の素板を折り曲げて形成する場合、バレルの圧着機能を確保するために素板の厚さを薄くすることはタブの強度不足を招き、タブの変形ひいてはプラグコネクタとリセプタクルコネクタとの嵌合不良又は嵌合不能という不具合を引き起こす可能性がある。
【０００６】
そこで、本発明者らは、プラグコネクタのハウジングの収容室から外に突き出たタブにおける厚さ方向の一面をハウジングの支持壁で支持しておき、このタブ及び支持壁を一緒にリセプタクルコネクタの空洞に挿入し、タブにおける厚さ方向の他の面にリセプタクルコネクタの電気接触子を接触させるようにしたプラグコネクタを提案した。このようにすれば、タブを支持壁で支持することで上述したタブの強度不足に起因する不具合を防止することができる。
【０００７】
しかし、その場合、タブの強度が低いと、作業者が電気接触子を束ねて持っているときなどにタブが変形しやすい。しかも、電線を圧着した電気接触子をプラグコネクタのハウジングの収容室に挿入する工程においても、タブが変形しやすい。
【０００８】
また、電気接触子をハウジングに装着したときにタブが支持壁から浮いていると、プラグコネクタをリセプタクルコネクタに接続するときに浮いたタブがリセプタクルコネクタの電気接触子その他の部位に当たり、プラグコネクタとリセプタクルコネクタとの嵌合不良又は嵌合不能という不具合が起こりうる。
【０００９】
本発明は、このような点に着目してなされたもので、その目的とするところは、タブを、素板の一部を折り返して厚さ方向に重ね合わされた二枚の板によって構成し、これによってバレルによる細線の圧着機能の確保とタブの強度向上とを両立させ、さらにタブの先端をハウジングに係止することでタブが支持壁から浮くことを阻止し、このタブの強度向上による変形阻止及びタブの支持壁からの浮き上がり阻止によってプラグコネクタとリセプタクルコネクタとの嵌合不良又は嵌合不能を防止することができるプラグコネクタの電気接触子と、これに対応するハウジングを提供することにある。
【課題を解決するための手段】
【００１０】
上記目的を達成するため、請求項１のプラグコネクタの電気接触子は、所定形状の素板を折り曲げて形成され、収容室を有するハウジングの上記収容室に挿入してハウジングに係止される電気接触子である。この電気接触子は、互いに直交する奥行き方向、幅方向、及び厚さ方向をとったときに、電線を圧着するバレルが設けられた本体と、この本体から奥行き方向の奥へ延びるタブとを備え、タブは、素板の一部を折り返して厚さ方向に重ね合わされた二枚の板によって構成され、一方の板が基礎板になり、他方の板が相手側の電気接触子に接触する接触板になっており、基礎板の奥行き方向の奥側の端部は接触板の奥行き方向の奥側の端部よりも奥へ突き出ていて、これによって突出部が形成されており、本体をハウジングの収容室に収めると、収容室から外へ突き出たタブの基礎板がハウジングにより支持され、突出部が、タブがハウジングから厚さ方向に浮かないようにハウジングに係止されるように構成している。
【００１１】
この電気接触子をハウジングに装着し、このタブとハウジングにおけるタブの基礎板を支持する部分とを一緒にリセプタクルコネクタの空洞に挿入し、タブの接触板にリセプタクルコネクタの電気接触子を接触させると、プラグコネクタ側の電気接触子とリセプタクルコネクタ側の電気接触子とが機械的接続及び電気的接続を果たす。その場合、ハウジングによりタブの基礎板を支持するので、リセプタクルコネクタ側の電気接触子との接触圧力によるタブの変形が無くなり、プラグコネクタとリセプタクルコネクタとの嵌合不良又は嵌合不能という不具合の発生が防止される。
【００１２】
タブを、素板の一部を折り返して厚さ方向に重ね合わされた二枚の板によって構成しているので、素板の厚さを薄く設定してバレルによる細線の圧着機能を確保しても、タブの強度が向上する。しかも、突出部がハウジングに係止されて、タブがハウジングから厚さ方向に浮かない。このようにタブの強度向上による変形阻止と、タブのハウジングからの浮き上がり阻止とにより、プラグコネクタとリセプタクルコネクタとの嵌合不良又は嵌合不能が防止される。
【００１３】
請求項２のプラグコネクタの電気接触子は、請求項１のプラグコネクタの電気接触子において、基礎板と接触板とが、幅方向の一方の端縁において奥行き方向に延びる境界線で折り返されている。
【００１４】
このようにすれば、タブに幅方向に延びる軸回りに曲げモーメントがかかったときのタブの強度が高い。素板のタブの長手方向に沿った長さが短くなる。
【００１５】
請求項３のプラグコネクタの電気接触子は、請求項１のプラグコネクタの電気接触子において、基礎板と接触板とが、奥行き方向の奥側において幅方向に延びる境界線で折り返されている。
【００１６】
このようにすれば、タブに奥行き方向に延びる軸回りに捻りモーメントがかかったときのタブの強度が高い。素板のタブの短手方向に沿った長さが短くなる。
【００１７】
請求項４のプラグコネクタの電気接触子は、請求項１ないし請求項３のうちいずれか１項のプラグコネクタの電気接触子において、本体におけるタブに隣接する部分が、タブよりも幅方向の寸法及び厚さ方向の寸法のうち少なくとも一方の寸法が大きく設けられ、ハウジングの収容室に嵌合する嵌合部になっている。
【００１８】
このようにすれば、突出部がハウジングに係止されると共に、嵌合部が収容室に嵌合するので、電気接触子がハウジングに対して幅方向からみて傾斜すること、電気接触子がハウジングに対して奥行き方向に延びる軸のまわりに回動することなどが防止される。
【００１９】
請求項５のプラグコネクタのハウジングは、請求項１ないし請求項４のうちいずれか１項のプラグコネクタの電気接触子を挿入して係止するプラグコネクタのハウジングである。このハウジングは、互いに直交する奥行き方向、幅方向、及び厚さ方向をとったときに、電線を接続した電気接触子が挿入される収容室を有する収容体と、この収容体における収容室の厚さ方向の一方側の部分から奥行き方向の奥へ延び、厚さ方向両側の表面のうち一方の表面で電気接触子の基礎板を受ける支持壁と、支持壁の奥行き方向の奥側において支持壁の上記一方の表面の側に出るように立ち上がる先端壁と、先端壁から奥行き方向の手前に延び、電気接触子の素板の厚さと同一かそれ以上の距離で支持壁の上記一方の表面から厚さ方向に離間して設けられ、電気接触子の突出部に当たってタブの支持壁からの浮き上がりを規制する係止壁とを備えている。
【００２０】
このハウジングに請求項１ないし請求項４のうちいずれか１項のプラグコネクタの電気接触子を装着し、この電気接触子のタブとハウジングの支持壁とを一緒にリセプタクルコネクタの空洞に挿入し、タブの接触板にリセプタクルコネクタの電気接触子を接触させると、プラグコネクタ側の電気接触子とリセプタクルコネクタ側の電気接触子とが機械的接続及び電気的接続を果たす。その場合、ハウジングの支持壁によりタブの基礎板を支持するので、リセプタクルコネクタ側の電気接触子との接触圧力によるタブの変形が無くなり、プラグコネクタとリセプタクルコネクタとの嵌合不良又は嵌合不能という不具合の発生が防止される。
【００２１】
電気接触子のタブは、素板の一部を折り返して厚さ方向に重ね合わされた二枚の板によって構成しているので、素板の厚さを薄く設定してバレルによる細線の圧着機能を確保しても、タブの強度が向上する。しかも、突出部が係止壁に係止されて、タブが支持壁から厚さ方向に浮かない。このようにタブの強度向上による変形阻止と、タブの支持壁からの浮き上がり阻止とにより、プラグコネクタとリセプタクルコネクタとの嵌合不良又は嵌合不能が防止される。
【００２２】
この電気接触子のタブとハウジングの支持壁とを一緒にリセプタクルコネクタの空洞に挿入するとき、先端壁により、リセプタクルコネクタ側の電気接触子を厚さ方向に押しのけるので、両コネクタの接続がスムーズに行われる。
【００２３】
請求項６のプラグコネクタのハウジングは、請求項５のプラグコネクタのハウジングにおいて、支持壁における電気接触子の基礎板を受ける部位の幅方向両側に、厚さ方向に立ち上がる横壁が設けられている。
【００２４】
このようにすれば、横壁によりタブの幅方向の振れが阻止される。
【００２５】
請求項７のプラグコネクタのハウジングは、請求項５又は請求項６のプラグコネクタのハウジングにおいて、係止壁の厚さが電気接触子の素板の厚さとほぼ同一に設けられている。
【００２６】
リセプタクルコネクタ側の電気接触子は、プラグコネクタ側の電気接触子との間で接触圧力を得るために所定ストロークだけ厚さ方向に弾性変形する。しかし、接触板と係止壁との間に段差があると、リセプタクルコネクタ側の電気接触子は、この段差を乗り越えるために上記ストロークを超えるストロークで弾性変形できるようにしなければならず、これによってリセプタクルコネクタ側の電気接触子の設計が難しくなるし、リセプタクルコネクタの厚さが厚くなる。これに対して、請求項７のようにすれば、リセプタクルコネクタ側の電気接触子の弾性変形のストロークは必要最小限の量ですみ、リセプタクルコネクタ側の電気接触子の設計が容易になると共に、リセプタクルコネクタの厚さを薄くすることができる。
【００２７】
請求項８のプラグコネクタのハウジングは、請求項４のプラグコネクタの電気接触子を挿入して係止する請求項５ないし請求項７のうちいずれか１項のプラグコネクタのハウジングであって、このハウジングには、収容体の収容室における奥側の端部に、電気接触子の嵌合部に嵌合する受け入れ部が設けられている。
【００２８】
このプラグコネクタのハウジングの場合、突出部がハウジングの係止壁に係止されると共に、嵌合部が受け入れ部に嵌合するので、電気接触子がハウジングに対して幅方向からみて傾斜すること、電気接触子がハウジングに対して奥行き方向に延びる軸のまわりに回動することなどが防止される。
【発明の効果】
【００２９】
請求項１のプラグコネクタの電気接触子は、タブを、素板の一部を折り返して厚さ方向に重ね合わされた二枚の板である接触板及び基礎板によって構成し、収容室から外へ突き出たタブの基礎板をハウジングにより支持し、基礎板の突出部を、タブがハウジングから厚さ方向に浮かないようにハウジングに係止したので、バレルによる細線の圧着機能の確保とタブの強度向上とを両立させ、このタブの強度向上による変形阻止及びタブのハウジングからの浮き上がり阻止によってプラグコネクタとリセプタクルコネクタとの嵌合不良又は嵌合不能を防止することができるプラグコネクタの電気接触子を提供することができた。
【００３０】
請求項２のようにすれば、タブに幅方向に延びる軸回りに曲げモーメントがかかったときのタブの強度を高くして変形を防止することができる。しかも、素板のタブの長手方向に沿った長さを短くすることができる。
【００３１】
請求項３のようにすれば、タブに奥行き方向に延びる軸回りに捻りモーメントがかかったときのタブの強度を高くして変形を防止することができる。しかも、素板のタブの短手方向に沿った長さを短くすることができる。
【００３２】
請求項４のようにすれば、突出部がハウジングに係止されると共に、嵌合部が収容室に嵌合するので、電気接触子がハウジングに対して幅方向からみて傾斜すること、電気接触子がハウジングに対して奥行き方向に延びる軸のまわりに回動することなどを防止することができる。
【００３３】
請求項５のプラグコネクタのハウジングは、請求項１ないし請求項４のうちいずれか１項のプラグコネクタの電気接触子を挿入して係止するプラグコネクタのハウジングとして、ハウジングを収容体、支持壁、先端壁及び係止壁で構成したので、電気接触子のバレルによる細線の圧着機能の確保とタブの強度向上とを両立させ、このタブの強度向上による変形阻止及びタブの支持壁からの浮き上がり阻止によってプラグコネクタとリセプタクルコネクタとの嵌合不良又は嵌合不能を防止することができるプラグコネクタのハウジングを提供することができた。また、先端壁のガイド機能により、両コネクタの接続をスムーズに行うことができる。
【００３４】
請求項６のようにすれば、横壁によりタブの幅方向の振れを阻止することができ、プラグコネクタとリセプタクルコネクタとの嵌合不良を防止することができる。
【００３５】
請求項７のようにすれば、リセプタクルコネクタ側の電気接触子の弾性変形のストロークは必要最小限の量ですみ、リセプタクルコネクタ側の電気接触子の設計を容易にすることができると共に、リセプタクルコネクタの厚さを薄くすることができる。
【００３６】
請求項８のプラグコネクタのハウジングは、突出部がハウジングの係止壁に係止されると共に、嵌合部が受け入れ部に嵌合するので、電気接触子がハウジングに対して幅方向からみて傾斜すること、電気接触子がハウジングに対して奥行き方向に延びる軸のまわりに回動することなどを防止することができる。
【発明を実施するための最良の形態】
【００３７】
以下、本発明の実施の形態を説明する。図１ないし図４は本発明の第１の実施形態であるプラグコネクタＰＣの電気接触子１００を示す。この電気接触子１００は、図７に示すような所定形状の素板Ｂを折り曲げて形成される。この素板Ｂは、例えば一定厚さの薄板から打ち抜き等の加工を行うことで得られる。この電気接触子１００は、図５に示すように電線Ｗを圧着してから、後述するような収容室２１１を有するハウジング２００の上記収容室２１１に挿入してハウジング２００に係止され、これによってプラグコネクタＰＣが完成する。このプラグコネクタＰＣは相手側のリセプタクルコネクタＲＣに接続する。リセプタクルコネクタＲＣは、例えば液晶パネルなどのプリント配線板Ｐに実装される。リセプタクルコネクタの接続先はこの実施形態によって限定されるものではない。
【００３８】
電気接触子１００は、導電性の材料で形成されている。電気接触子１００は、電線Ｗを圧着するバレルが設けられた本体１１０と、この本体１１０から奥行き方向の奥へ延びるタブ１２０とを備えている。互いに直交する奥行き方向、幅方向、及び厚さ方向を想定し、これらの方向付けを利用して説明する。この実施形態の場合、図４で説明すれば、図４の左右方向が奥行き方向であり、図４の右方が奥行き方向の手前、左方が奥行き方向の奥である。また、図３の左右方向が幅方向であり、図３の上下方向が厚さ方向である。本体１１０は素板Ｂを奥行き方向からみて、ほぼＵ字形になるように変形することで形成されるが、本体の形状は、この形状に限定されるものではない。バレルは公知のものであり、二種類ある。一つは電線Ｗの被覆をかしめてこれに接続するインシュレーションバレル１１１であり、他の一つは電線Ｗの芯線をかしめてこれに接続するワイヤバレル１１２である。いずれのバレルも本体１１０の幅方向両側から立ち上がる板片により構成される。この板はほぼ幅方向に向いており、幅方向の内側に倒れるように変形することで電線Ｗをかしめてこれを接続する（図５を参照）。
【００３９】
タブ１２０は、素板Ｂの一部を折り返して厚さ方向に重ね合わされた二枚の板によって構成されている。一方の板が基礎板１２１になり、他方の板が相手側の電気接触子３００に接触する接触板１２２になっている。
【００４０】
基礎板１２１と接触板１２２とは、幅方向の一方の端縁において奥行き方向に延びる境界線１２３で折り返されている。この境界線１２３は、折り返す部位を特定するために仮想的に示した線である。
【００４１】
本体１１０におけるタブ１２０に隣接する部分は、タブ１２０よりも幅方向の寸法及び厚さ方向の寸法のうち少なくとも一方の寸法が大きく設けられ、後述するハウジング２００の収容室２１１に嵌合する嵌合部１１３になっている。すなわち、電気接触子１００の本体１１０とハウジング２００の収容室２１１との間の隙間は、この嵌合部１１３において最も小さく設定されており、この嵌合部１１３の収容室２１１との嵌合によってハウジング２００に対する電気接触子１００の位置を確定するようにしている。本発明は、本体１１０におけるタブ１２０に隣接する部分以外の部分に嵌合部を設けた電気接触子の実施形態、一部に嵌合部を設けることなく本体１１０を全体的にほぼ均等な隙間で収容室に嵌合するようにした電気接触子の実施形態、ハウジングの収容室に挿入してハウジングに係止されるが嵌合まではされない電気接触子の実施形態を含む。
【００４２】
基礎板１２１の奥行き方向の奥側の端部は接触板１２２の奥行き方向の奥側の端部よりも奥へ突き出ていて、これによって突出部１２１ａが形成されている。この突出部１２１ａは、後述するハウジング２００の係止壁２４０の厚さ方向の内側に挿入されるので、挿入しやくなるように厚さ方向の両端、幅方向の両端に面取り、アール面取りなどを施しておくことが望ましいが、本発明はこのように面取り、アール面取りなどを設けない実施形態も含む。
【００４３】
この電気接触子１００は所定形状の素板Ｂを折り曲げて形成されるので、基礎板１２１、その一部である突出部１２１ａ、接触板１２２の厚さは素板Ｂの厚さｔと同一である。
【００４４】
以上の構成により、本体１１０をハウジング２００の収容室２１１に収めると、収容室２１１から外へ突き出たタブ１２０の基礎板１２１がハウジング２００により支持され、突出部１２１ａが、タブ１２０がハウジング２００から厚さ方向に浮かないようにハウジング２００に係止される。
【００４５】
図８ないし図１１は、上記電気接触子１００を挿入して係止するプラグコネクタＰＣのハウジング２００を示す。ハウジング２００における方向付けも先に説明した方向付けと同様であり、図９で説明すれば、図の左右方向が奥行き方向であり、図の右方が奥行き方向の手前、左方が奥行き方向の奥である。また、図９の上下方向が幅方向であり、紙面に垂直な方向が厚さ方向である。この実施形態のプラグコネクタＰＣは２０本の電気接触子１００を装着した２０極のタイプであるが、これによって本発明のハウジングの極数が限定されるものではない。本発明は単極のハウジングの実施形態を含むものである。
【００４６】
このハウジング２００は、少なくとも電気接触子１００に接触する部位が絶縁性の材料で形成されている。必要に応じて一部に金属等のシェルを設けることがある。ハウジング２００は、電線Ｗを接続した電気接触子１００が挿入される収容室２１１を有する収容体２１０と、この収容体２１０から延びる支持壁２２０と、この支持壁２２０に設けられた先端壁２３０と、この先端壁２３０から延びる係止壁２４０とを備えている。
【００４７】
収容室２１１は、収容体２１０を奥行き方向に貫通して設けられている。収容室２１１は、その奥行き方向の手前から電線Ｗを接続した電気接触子１００をタブ１２０を先頭にして挿入したときに、収容室２１１から奥行き方向の奥側へタブ１２０が突き出ると共に収容室２１１の内部に本体１１０が収まるように設けられている。収容室２１１の奥行き方向の奥側の端部を、開口に向けて先細りに形成しておけば、電気接触子１００を挿入したときに電気接触子１００の本体１１０におけるタブ１２０に隣接する部分が当たり、電気接触子１００のハウジング２００に対する位置決めができるが、本発明は収容体の構造をそのような構造に限定するものではない。
【００４８】
図１４及び図１５に示すように、支持壁２２０は、収容体２１０における収容室２１１を構成する部分のうち厚さ方向の一方側の部分から奥行き方向の奥へ延びている。支持壁２２０は、厚さ方向両側の表面のうち一方の表面２２１で電気接触子１００の基礎板１２１を受ける。先端壁２３０は、支持壁２２０の奥行き方向の奥側において支持壁２２０の上記一方の表面２２１の側に出るように立ち上がっている。係止壁２４０は、先端壁２３０から奥行き方向の手前に延びている。この係止壁２４０は、電気接触子１００の素板Ｂの厚さｔと同一かそれ以上の距離ｄでもって支持壁２２０の上記一方の表面２２１から厚さ方向に離間して設けられている。すなわち、この係止壁２４０の内面２４１と支持壁２２０の上記一方の表面２２１との厚さ方向の間隔が上記距離ｄとなるように設定されている。この実施形態の場合、この距離ｄは、素板Ｂの厚さｔを若干超える程度に設定されている。要するに電気接触子１００のタブ１２０を支持壁２２０に沿わせて奥行き方向の奥へと移動させていったときに突出部１２１ａが無理なく係止壁２４０の厚さ方向の内側に挿入されて係止壁２４０の内面２４１に接触することができればよい。このように構成することにより、係止壁２４０は、電気接触子１００の突出部１２１ａの厚さ方向の一方の面に当たってタブ１２０が支持壁２２０から浮き上がることを規制することができる。
【００４９】
電気接触子１００及びハウジング２００には、電気接触子１００をハウジング２００に係止するための係止構造が設けられている。この実施形態の場合、電気接触子１００の本体１１０に被係止部１１４が突出して設けられ、ハウジング２００には被係止部１１４を係止する弾性片２１２が設けられており、いわゆるハウジングランス構造を採用している。この他に、例えばハウジングに被係止部を設け、電気接触子に被係止部を係止する弾性片を設けた、いわゆるコンタクトランス構造を採用してもよいし、他の係止構造を用いてもよい。
【００５０】
支持壁２２０には、横壁２５０が設けられている。横壁２５０は、支持壁２２０における電気接触子１００の基礎板１２１を受ける部位の幅方向両側に、厚さ方向に立ち上がっている。横壁２５０は、電気接触子１００の幅だけ幅方向に離間している。本発明は、この横壁２５０を設けない実施形態も含む。
【００５１】
係止壁２４０の厚さは、電気接触子１００の素板Ｂの厚さｔとほぼ同一に設けられている。これによってハウジング２００に電気接触子１００を装着したときに接触板１２２と係止壁２４０との間に段差ができないようになっている。本発明は、係止壁２４０の厚さが電気接触子１００の素板Ｂの厚さよりも厚く設定された実施形態も含むし、係止壁２４０の厚さが電気接触子１００の素板Ｂの厚さよりも薄く設定された実施形態も含む。後者の場合、接触板１２２の奥行き方向の奥側の端縁に面取り、アール面取りなどを施して係止壁２４０との間にエッジのある段差が出来ないようにすることが好ましい。
【００５２】
収容体２１０の収容室２１１における奥側の端部には、電気接触子１００の嵌合部１１３に嵌合する受け入れ部２１１ａが設けられている。本発明は、収容室２１１における奥側の端部以外の部分に受け入れ部を設けたハウジングの実施形態、一部に受け入れ部を設けることなく収容室２１１において全体的にほぼ均等な隙間で電気接触子の本体を嵌合するようにしたハウジングの実施形態、電気接触子を収容室に挿入して係止するが嵌合まではしないハウジングの実施形態を含む。
【００５３】
図１２及び図１３に示すように、電線Ｗを圧着した電気接触子１００をハウジング２００の収容室２１１に挿入すると、係止構造によって電気接触子１００がハウジング２００に係止され、これによってプラグコネクタＰＣが完成する。
【００５４】
図１６ないし図１８に示すように、リセプタクルコネクタＲＣは、電気接触子３００と、この電気接触子３００が設けられたハウジング４００とを備えている。リセプタクルコネクタＲＣにおける方向付けも先に説明した方向付けと同様であり、図１８で説明すれば、図の左右方向が奥行き方向であり、図の右方が奥行き方向の手前、左方が奥行き方向の奥である。また、図１７の上下方向が幅方向であり、左右方向が厚さ方向である。極数はプラグコネクタＰＣの極数に対応して設定される。ハウジング４００は、少なくとも電気接触子３００に接触する部位が絶縁性の材料で形成されている。必要に応じて一部に金属等のシェルを設けることがある。ハウジング４００には、奥行き方向の手前に向かって開口する空洞４１０が設けられている。電気接触子３００は導電性の材料で棒状に形成されており、一端側にプラグコネクタＰＣの電気接触子１００の接触板１２２に接触する接触部３１０が設けられ、他端側にプリント配線板Ｐなどの相手側部材に接続される接続部３２０が設けられている。電気接触子３００は、弾性変形により接触部３１０が空洞４１０のなかで厚さ方向に変位できるように、例えば中途部をハウジング４００に固定するなどしてハウジング４００に設けられており、弾性復元力により接触圧力を得るようにしている。
【００５５】
図１９ないし図２１に示すように、プラグコネクタＰＣのタブ１２０及び支持壁２２０をリセプタクルコネクタＲＣの空洞４１０に挿入し、タブ１２０の接触板１２２にリセプタクルコネクタＲＣの電気接触子３００の接触部３１０を接触させると、プラグコネクタ側の電気接触子１００とリセプタクルコネクタ側の電気接触子３００とが機械的接続及び電気的接続を果たす。
【００５６】
その場合、ハウジング２００の支持壁２２０によりタブ１２０の基礎板１２１を支持するので、リセプタクルコネクタ側の電気接触子３００との接触圧力によるタブ１２０の変形が無くなり、プラグコネクタＰＣとリセプタクルコネクタＲＣとの嵌合不良又は嵌合不能という不具合の発生が防止される。
【００５７】
電気接触子１００のタブ１２０は、素板Ｂの一部を折り返して厚さ方向に重ね合わされた二枚の板である基礎板１２１及び接触板１２２によって構成しているので、素板Ｂの厚さを薄く設定してインシュレーションバレル１１１及びワイヤバレル１１２による細線の圧着機能を確保しても、タブ１２０の強度が向上する。しかも、突出部１２１ａがハウジング２００の係止壁２４０に係止されて、タブ１２０がハウジング２００の支持壁２２０から厚さ方向に浮かない。このようにタブ１２０の強度向上による変形阻止と、タブ１２０の支持壁２２０からの浮き上がり阻止とにより、プラグコネクタＰＣとリセプタクルコネクタＲＣとの嵌合不良又は嵌合不能が防止される。
【００５８】
この電気接触子１００のタブ１２０とハウジング２００の支持壁２２０とを一緒にリセプタクルコネクタＲＣの空洞４１０に挿入するとき、先端壁２３０により、リセプタクルコネクタ側の電気接触子３００の接触部３１０を厚さ方向に押しのけるので、両コネクタＰＣ、ＲＣの接続がスムーズに行われる。
【００５９】
本発明の電気接触子の場合、タブを構成する二枚の板を折り返すための境界線の位置を限定するものではない。そのなかで、第１実施形態の電気接触子１００は、基礎板１２１と接触板１２２とが、幅方向の一方の端縁において奥行き方向に延びる境界線１２３で折り返されている。このようにすれば、タブ１２０に幅方向に延びる軸回りに曲げモーメントがかかったときのタブ１２０の強度が高い。しかも、素板Ｂのタブ１２０の長手方向に沿った長さが短くなる。
【００６０】
第１実施形態の電気接触子１００の場合、本体１１０におけるタブ１２０に隣接する部分が、タブ１２０よりも幅方向の寸法及び厚さ方向の寸法のうち少なくとも一方の寸法が大きく設けられ、ハウジング２００の収容室２１１に嵌合する嵌合部１１３になっている。このようにすれば、突出部１２１ａがハウジング２００に係止されると共に、嵌合部１１３が収容室２１１に嵌合するので、電気接触子１００がハウジング２００に対して幅方向からみて傾斜すること、電気接触子１００がハウジング２００に対して奥行き方向に延びる軸のまわりに回動することなどが防止される。この回動防止機能は、例えば他の電線と撚られた電線を電気接触子に圧着したときなどに有効に発揮されることになる。
【００６１】
本発明のハウジングの場合、電気接触子のタブの幅方向両側のうち少なくとも一方側を開放するようにした実施形態を含む。そのなかで、第１実施形態のハウジング２００の場合、支持壁２２０における電気接触子１００の基礎板１２１を受ける部位の幅方向両側に、厚さ方向に立ち上がる横壁２５０を設けた。このようにすれば、横壁２５０によりタブ１２０の幅方向の振れが阻止される。
【００６２】
第１実施形態の電気接触子１００の場合、係止壁２４０の厚さが電気接触子１００の素板Ｂの厚さとほぼ同一に設けられている。リセプタクルコネクタ側の電気接触子３００の接触部３１０は、プラグコネクタ側の電気接触子１００との間で接触圧力を得るために所定ストロークだけ厚さ方向に弾性変形する。しかし、接触板１２２と係止壁２４０との間に段差があると、リセプタクルコネクタ側の電気接触子３００の接触部３１０は、この段差を乗り越えるために上記ストロークを超えるストロークで弾性変形できるようにしなければならず、これによってリセプタクルコネクタ側の電気接触子３００の設計が難しくなるし、リセプタクルコネクタＲＣの厚さが厚くなる。これに対して、第１実施形態のようにすれば、リセプタクルコネクタ側の電気接触子３００の接触部３１０が弾性変形するストロークは必要最小限の量ですみ、リセプタクルコネクタ側の電気接触子３００の設計が容易になると共に、リセプタクルコネクタＲＣの厚さを薄くすることができる。
【００６３】
次に、他の実施形態を説明する。図２２ないし図２４は電気接触子の第２の実施形態を示す。第１実施形態の電気接触子１００の場合、基礎板１２１と接触板１２２とを、幅方向の一方の端縁において奥行き方向に延びる境界線１２３で折り返した。これに対して、第２実施形態の電気接触子１００は、基礎板１２１と接触板１２２とが、奥行き方向の奥側において幅方向に延びる境界線１２３で折り返されている。図２５に示すように、素板Ｂでみると、基礎板１２１の一部である突出部１２１ａが接触板１２２の領域に入り込んでいる。この素板Ｂの基礎板１２１を折り返して接触板１２２に厚さ方向に重ね合わせると、突出部１２１ａが接触板１２２の奥行き方向の奥側の端部よりも奥へ突き出ると共に、接触板１２２には、突出部１２１ａを切り取ることでできた孔１２２ａが残る。他の構成は第１実施形態の電気接触子１００と同様である。
【００６４】
このようにすれば、タブ１２０に奥行き方向に延びる軸回りに捻りモーメントがかかったときのタブ１２０の強度が高い。しかも、素板Ｂのタブ１２０の短手方向に沿った長さが短くなる。それ以外の作用及び効果は第１実施形態の電気接触子１００の場合と同様に得られる。
【００６５】
図２６ないし図２８は電気接触子の第３の実施形態を示す。この第３の実施形態の電気接触子１００は第２実施形態の電気接触子１００の変形例である。第２実施形態では突出部１２１ａを基礎板１２１の幅方向中央に設けたが、第３実施形態では突出部１２１ａを基礎板１２１の幅方向の一方の端部に寄せて設けた。他の構成は第２実施形態の電気接触子１００と同様である。得られる作用及び効果は第２実施形態の電気接触子１００の場合と同様である。本発明は、以上の実施形態の特徴を適宜組み合わせてなる実施形態を含むものである。
【図面の簡単な説明】
【００６６】
【図１】第１実施形態の電気接触子の拡大斜視図である。
【図２】第１実施形態の電気接触子を、図１の視点とは反対側の視点からみた拡大斜視図である。
【図３】第１実施形態の電気接触子を、奥行き方向の奥側からみた拡大図である。
【図４】図３のＩＶ−ＩＶ線における断面図である。
【図５】電線を圧着した第１実施形態の電気接触子を、幅方向からみた拡大図である。
【図６】図５のＶＩ−ＶＩ線における断面図である。
【図７】第１実施形態の電気接触子の素板を示す拡大図である。
【図８】第１実施形態のプラグコネクタのハウジングを示す斜視図である。
【図９】第１実施形態のプラグコネクタのハウジングを、拡大して厚さ方向からみた図である。
【図１０】第１実施形態のプラグコネクタのハウジングを拡大し、厚さ方向に垂直な面で切断して厚さ方向からみた断面図である。
【図１１】図９のＸＩ−ＸＩ線における断面図である。
【図１２】第１実施形態のプラグコネクタのハウジングに、電線を圧着した電気接触子を挿入する状態を示す斜視図である。
【図１３】第１実施形態のプラグコネクタのハウジングに、電線を圧着した電気接触子を挿入した状態を示す斜視図である。
【図１４】図１３に示した第１実施形態のプラグコネクタを、幅方向に垂直な面で切断し、幅方向からみた拡大断面図である。
【図１５】図１４の要部の拡大図である。
【図１６】第１実施形態のリセプタクルコネクタの斜視図である。
【図１７】第１実施形態のリセプタクルコネクタを、拡大して奥行き方向の手前からみた図である。
【図１８】図１７のＸＶＩＩＩ−ＸＶＩＩＩ線における断面図である。
【図１９】第１実施形態のプラグコネクタを、プリント配線板に実装されたリセプタクルコネクタに接続する状態を示す斜視図である。
【図２０】第１実施形態のプラグコネクタを、プリント配線板に実装されたリセプタクルコネクタに接続した状態を示す斜視図である。
【図２１】第１実施形態のプラグコネクタをリセプタクルコネクタに接続した状態で幅方向に垂直な面で切断して幅方向からみた断面図である。
【図２２】第２実施形態の電気接触子を幅方向からみた図である。
【図２３】第２実施形態の電気接触子を厚さ方向からみた図である。
【図２４】第２実施形態の電気接触子を厚さ方向の逆側からみた図である。
【図２５】第２実施形態の電気接触子の素板を示す図である。
【図２６】第３実施形態の電気接触子を幅方向からみた図である。
【図２７】第３実施形態の電気接触子を厚さ方向からみた図である。
【図２８】第３実施形態の電気接触子を厚さ方向の逆側からみた図である。
【符号の説明】
【００６７】
ＰＣ    プラグコネクタ
１００  プラグコネクタの電気接触子
１１０  本体
１１１  インシュレーションバレル
１１２  ワイヤバレル
１１３  嵌合部
１２０  タブ
１２１  基礎板
１２１ａ  突出部
１２２  接触板
１２３  境界線
Ｂ      素板
２００  プラグコネクタのハウジング
２１０  収容体
２１１  収容室
２１１ａ  受け入れ部
２２０  支持壁
２２１  表面
２３０  先端壁
２４０  係止壁
２５０  横壁
ＲＣ    リセプタクルコネクタ
３００  リセプタクルコネクタの電気接触子
３１０  接触部
３２０  接続部
４００  リセプタクルコネクタのハウジング
４１０  空洞
Ｗ      電線
Ｐ      プリント配線板
【図１】
2004335458.tif 000003
【図２】
2004335458.tif 000004
【図３】
2004335458.tif 000005
【図４】
2004335458.tif 000006
【図５】
2004335458.tif 000007
【図６】
2004335458.tif 000008
【図７】
2004335458.tif 000009
【図８】
2004335458.tif 000010
【図９】
2004335458.tif 000011
【図１０】
2004335458.tif 000012
【図１１】
2004335458.tif 000013
【図１２】
2004335458.tif 000014
【図１３】
2004335458.tif 000015
【図１４】
2004335458.tif 000016
【図１５】
2004335458.tif 000017
【図１６】
2004335458.tif 000018
【図１７】
2004335458.tif 000019
【図１８】
2004335458.tif 000020
【図１９】
2004335458.tif 000021
【図２０】
2004335458.tif 000022
【図２１】
2004335458.tif 000023
【図２２】
2004335458.tif 000024
【図２３】
2004335458.tif 000025
【図２４】
2004335458.tif 000026
【図２５】
2004335458.tif 000027
【図２６】
2004335458.tif 000028
【図２７】
2004335458.tif 000029
【図２８】
2004335458.tif 000030